(57)【要約】【課題】回復不能な成層劣化に至る前の成層化現象を精度良く検出することができる技術の実現。【解決手段】コントローラ５は、鉛蓄電池１に対する充放電を所定時間実施し、残存容量ＳＯＣが満充電状態で、消費電力量が所定値以下の状態で所定時間経過したときに、鉛蓄電池１の端子電圧Ｖbatが基準電圧×１．０１以上である場合、鉛蓄電池１の成層化現象が発生していると判定する。【選択図】図２
2008226790.tif 000002
【特許請求の範囲】
【請求項１】
鉛蓄電池の成層化現象を判定する自動車用鉛蓄電池制御装置であって、
前記鉛蓄電池への充放電を制御する充放電制御手段と、
前記鉛蓄電池の残存容量を検出する残存容量検出手段と、
前記鉛蓄電池の消費電力量を検出する消費電力検出手段と、
前記鉛蓄電池の成層化現象を判定する成層化判定手段と、を有し、
前記成層化判定手段は、前記充放電制御手段により前記鉛蓄電池に対する充放電を所定時間実施し、前記残存容量が満充電状態で、前記消費電力量が所定値以下の状態で所定時間経過したときに、前記鉛蓄電池の端子電圧が基準閾値以上である場合、前記鉛蓄電池の成層化現象が発生していると判定することを特徴とする自動車用鉛蓄電池制御装置。
【請求項２】
鉛蓄電池の成層化現象を判定する自動車用鉛蓄電池制御装置であって、
前記鉛蓄電池への充放電を制御する充放電制御手段と、
前記鉛蓄電池の残存容量を検出する残存容量検出手段と、
前記鉛蓄電池の成層化現象を判定する成層化判定手段と、を有し、
前記成層化判定手段は、前記充放電制御手段により前記鉛蓄電池に対する充放電を所定時間実施し、前記残存容量が満充電状態で、所定の残存容量低下範囲内における端子電圧低下量が基準閾値以上ならば、前記鉛蓄電池の成層化現象が発生していると判定することを特徴とする自動車用鉛蓄電池制御装置。
【請求項３】
前記鉛蓄電池に電力を供給する発電機との接続を停止した状態で所定時間維持し、その間の消費電力量を発電機から供給するように回復処理を実行する回復制御手段と、
前記回復処理の実行後、前記鉛蓄電池の端子電圧が基準値まで戻ったならば、前記鉛蓄電池が成層化状態から回復したと判定する回復判定手段と、を更に備えることを特徴とする請求項１又は２に記載の自動車用鉛蓄電池制御装置。
【請求項４】
前記鉛蓄電池への充電電流を所定値以下に抑制しつつ発電機から電力を供給して充電する回復処理を実行する回復制御手段と、
前記回復処理の実行後、前記鉛蓄電池の端子電圧が基準値まで戻ったならば、前記鉛蓄電池が成層化状態から回復したと判定する回復判定手段と、を更に備えることを特徴とする請求項１又は２に記載の自動車用鉛蓄電池制御装置。
【請求項５】
前記鉛蓄電池への充電電流を所定値以下に抑制しつつ発電機からの給電をオンとオフの間で繰り返して充電する回復処理を実行する回復制御手段と、
前記回復処理の実行後、前記鉛蓄電池の端子電圧が基準値まで戻ったならば、前記鉛蓄電池が成層化状態から回復したと判定する回復判定手段と、を更に備えることを特徴とする請求項１又は２に記載の自動車用鉛蓄電池制御装置。
【請求項６】
前記鉛蓄電池に対して並列に接続された二次電池を更に有し、
前記回復制御手段は、前記回復処理として前記発電機及び前記二次電池から電力を供給して充電することを特徴とする請求項３乃至５のいずれか１項に記載の自動車用鉛蓄電池制御装置。
【請求項７】
前記回復処理の実行後、前記鉛蓄電池が満充電の状態で端子電圧が基準閾値を下回るならば、成層化現象からの回復が不能な格子腐食状態であると判定する格子腐食判定手段と、
前記格子腐食状態であると判定された鉛蓄電池について、電池交換が必要である旨を表示する表示手段と、を更に備えることを特徴とする請求項３乃至６のいずれか１項に記載の自動車用鉛蓄電池制御装置。
【発明の詳細な説明】
【技術分野】
【０００１】
本発明は、自動車用鉛蓄電池の成層化現象を判定し成層化から回復させる技術に関する。
【背景技術】
【０００２】
自動車用鉛蓄電池は、通常の使用条件下において、暗電流放電（長期放置）によって、電解液の濃度分布が不均一となる成層化が促進される傾向にある。成層化現象が発生している場合、すぐに支障はないことは判明しているが、長期的に見た場合、電解液濃度の高い箇所の電極腐食（主に、活物質の脱落や活物質を担持する格子の腐食）が発生し、故障や寿命の低下の原因となる。
【０００３】
ここで、特許文献１では、バッテリが成層化により劣化したことを検出し、電解液を撹拌する技術が提案されている。
【特許文献１】特開２００３−１７１３７号公報
【発明の開示】
【発明が解決しようとする課題】
【０００４】
ところが、上記特許文献１では、回復不能な成層劣化に至る前の成層化現象を精度良く検出することはできない。また、成層劣化を起こした鉛蓄電池は正規の状態へ回復することが困難である。
【０００５】
本発明は、上述の課題に鑑みてなされ、その目的は、回復不能な成層劣化に至る前の成層化現象を精度良く検出することができる技術を実現することである。
【課題を解決するための手段】
【０００６】
上述の課題を解決し、目的を達成するために、本発明に係る第１の形態では、鉛蓄電池の成層化現象を判定する自動車用鉛蓄電池制御装置であって、前記鉛蓄電池への充放電を制御する充放電制御手段と、前記鉛蓄電池の残存容量を検出する残存容量検出手段と、前記鉛蓄電池の消費電力量を検出する消費電力検出手段と、前記鉛蓄電池の成層化現象を判定する成層化判定手段と、を有し、前記成層化判定手段は、前記充放電制御手段により前記鉛蓄電池に対する充放電を所定時間実施し、前記残存容量が満充電状態で、前記消費電力量が所定値以下の状態で所定時間経過したときに、前記鉛蓄電池の端子電圧が基準閾値以上である場合、前記鉛蓄電池の成層化現象が発生していると判定する。
【０００７】
また、本発明に係る第２の形態では、鉛蓄電池の成層化現象を判定する自動車用鉛蓄電池制御装置であって、前記鉛蓄電池への充放電を制御する充放電制御手段と、前記鉛蓄電池の残存容量を検出する残存容量検出手段と、前記鉛蓄電池の成層化現象を判定する成層化判定手段と、を有し、前記成層化判定手段は、前記充放電制御手段により前記鉛蓄電池に対する充放電を所定時間実施し、前記残存容量が満充電状態で、所定の残存容量低下範囲内における端子電圧低下量が基準閾値以上ならば、前記鉛蓄電池の成層化現象が発生していると判定する。
【０００８】
上記各形態によれば、回復不能な成層劣化に至る前の成層化現象を精度良く検出することができる。
【０００９】
また、第３の形態では、前記鉛蓄電池に電力を供給する発電機との接続を停止した状態で所定時間維持し、その間の消費電力量を発電機から供給するように回復処理を実行する回復制御手段と、前記回復処理の実行後、前記鉛蓄電池の端子電圧が基準値まで戻ったならば、前記鉛蓄電池が成層化状態から回復したと判定する回復判定手段と、を更に備える。
【００１０】
また、第４の形態では、前記鉛蓄電池への充電電流を所定値以下に抑制しつつ発電機から電力を供給して充電する回復処理を実行する回復制御手段と、前記回復処理の実行後、前記鉛蓄電池の端子電圧が基準値まで戻ったならば、前記鉛蓄電池が成層化状態から回復したと判定する回復判定手段と、を更に備える。
【００１１】
また、第５の形態では、前記鉛蓄電池への充電電流を所定値以下に抑制しつつ発電機からの給電をオンとオフの間で繰り返して充電する回復処理を実行する回復制御手段と、前記回復処理の実行後、前記鉛蓄電池の端子電圧が基準値まで戻ったならば、前記鉛蓄電池が成層化状態から回復したと判定する回復判定手段と、を更に備える。
【００１２】
上記各形態によれば、成層劣化に至る前に成層化から回復させることができる。
【００１３】
また、第６の形態では、前記鉛蓄電池に対して並列に接続された二次電池を更に有し、前記回復制御手段は、前記回復処理として前記発電機及び前記二次電池から電力を供給して充電する。この形態によれば、回復処理と消費電力の補償とに係る鉛蓄電池の負担を軽減することができる。
【００１４】
また、第７の形態では、前記回復処理の実行後、前記鉛蓄電池が満充電の状態で端子電圧が基準閾値を下回るならば、成層化現象からの回復が不能な格子腐食状態であると判定する格子腐食判定手段と、前記格子腐食状態であると判定された鉛蓄電池について、電池交換が必要である旨を表示する表示手段と、を更に備える。この形態によれば、回復不能な成層劣化を検出し、故障前に電池交換が必要なことをユーザに認知させることができる。
【発明の効果】
【００１５】
本発明によれば、回復不能な成層劣化に至る前の成層化現象を精度良く検出することができる。
【発明を実施するための最良の形態】
【００１６】
以下に、本発明の実施の形態について添付図面を参照して詳細に説明する。
【００１７】
なお、以下に説明する実施の形態は、本発明の実現手段としての一例であり、本発明は、その趣旨を逸脱しない範囲で下記実施形態を修正又は変形したものに適用可能である。
【００１８】
また、後述する判定処理や制御処理、表示処理に対応するコンピュータプログラムや当該コンピュータプログラムが格納された記憶媒体を、車両に搭載されたコンピュータに供給して、当該コンピュータが記憶媒体に格納されたプログラムコードを読み出して実行するようにしてもよい。
【００１９】
図１（ａ）は本実施形態の鉛蓄電池制御装置を示すブロック図、図１（ｂ）は本実施形態による成層化現象に係る処理全体のフローチャートである。
【００２０】
本実施形態の鉛蓄電池制御装置は、図１（ａ）に示すように、バッテリとして電装品６に電力を供給する鉛蓄電池１と、鉛蓄電池１の端子電圧（Ｖbat）や充電電流（Ｉbat）、消費電力量を検出する電流／電圧検出器２と、鉛蓄電池１に対して並列に接続された二次電池８と、エンジンにより駆動され鉛蓄電池１を充電し及び電装品６に電力を供給する発電機（オルタネータ）４と、スイッチ７により鉛蓄電池１の充放電、発電機４及び二次電池８の出力電圧を制御するコントローラ５と、を備え、車両に搭載される。二次電池８はキャパシタに代表される繰り返し充電可能な電池であり、電解コンデンサ等を用いても良い。
【００２１】
更に、コントローラ５はＣＰＵ、ＲＯＭ、ＲＡＭ等から構成される演算処理回路であり、後述する機能として、鉛蓄電池１の成層化現象判定を実行するブロック５Ａ、鉛蓄電池１の成層化現象判定結果に基づき回復制御を実行するブロック５Ｂ、鉛蓄電池１の残存容量を検出するブロック５Ｃと、成層化現象判定時に鉛蓄電池１の格子腐食判定を実行するブロック５Ｄと、格子腐食判定時に電池交換表示を実行するブロック５Ｅと、を有する。
【００２２】
具体的には、図１（ｂ）に示すように、コントローラ５は、先ず初期化処理を実行する（Ｓ１）。この初期化処理では、後述する成層化現象判定フラグＳ、成層化判定履歴フラグＱ、格子腐食判定フラグＲをリセットする（Ｓ，Ｑ，Ｒ←０）。ここで、成層化現象判定フラグＳは成層化現象判定時に「１」がセットされ、非判定時に「０」にリセットされる。また、成層化判定履歴フラグＱは、成層化現象判定履歴がある時に「１」、成層化現象判定履歴がない時に「０」にリセットされる。格子腐食判定フラグＲは、格子腐食判定時に「１」、非判定時に「０」にリセットされる。
【００２３】
その後、コントローラ５は、後述する成層化現象判定処理Ｉ、成層化現象判定処理ＩＩ、回復制御処理、格子腐食判定処理、電池交換表示処理を夫々実行する（Ｓ２〜Ｓ６）。
【００２４】
＜成層化現象判定処理Ｉ＞
図２（ａ）は図１のＳ２における成層化現象判定処理Ｉを示すフローチャート、図２（ｂ）は成層化現象判定における鉛蓄電池の端子電圧と比重との関係を示す図である。
【００２５】
図２（ｂ）に示すように、成層化現象が発生すると、（１）基準電圧（１２．７６Ｖ）が１％程度上昇し（基準電圧×１．０１（１２．８９Ｖ））。その後、（２）格子腐食が進行すると、満充電状態で１２．０Ｖ以下に低下する。そこで、本実施形態では、所定時間充放電を繰り返し、満充電の状態で、消費電力量が所定値以下で所定時間経過した時に、基準電圧が基準電圧×１．０１に上昇したならば、成層化現象が発生していると判定する。
【００２６】
具体的には、図２（ａ）において、コントローラ５は、成層化現象判定ブロック５Ａとして、成層化現象判定フラグＳが「０」ならば（Ｓ２１）、所定時間（０．５Ｈ）以上、端子電圧の変化が２％以内の充放電が繰り返し実施されたか判定する（Ｓ２２）。ここでの判定は、電流／電圧検出器２による鉛蓄電池１の充放電電流検出結果を用いる。また、別の判定方法として、不図示の車速センサにより所定時間以上走行したならば、充放電が繰り返し実行されたと判定しても良い。
【００２７】
次に、コントローラ５は、Ｓ２２で充放電が繰り返し実行されたと判定されると、鉛蓄電池１の残存容量を検出し、満充電状態（ＳＯＣ≒１００％）か判定する（Ｓ２３）。また、別の判定方法として、発電機４による発電がオフ時には満充電状態であると判定しても良い。
【００２８】
次に、コントローラ５は、Ｓ２３で満充電状態であると判定されると、消費電力量が所定値以下（例えば、車両の暗電流が５ｍＡ以下）で所定時間経過したか判定する（Ｓ２４）。
【００２９】
次に、コントローラ５は、Ｓ２４で消費電力量が所定値以下で所定時間経過したと判定されると、端子電圧Ｖbatが基準電圧（例えば、１２．７６Ｖ）×１．０１を超えているか判定する（Ｓ２５）。
【００３０】
そして、コントローラ５は、Ｓ２５で端子電圧Ｖbatが基準電圧×１．０１を超えていると判定されたならば、成層化現象が発生していると判定し、成層化現象判定フラグＳ及び成層化判定履歴フラグＱを「１」にセットする（Ｓ，Ｑ←１）（Ｓ２６）。
【００３１】
＜成層化現象判定処理ＩＩ＞
図３（ａ）は図１のＳ３における成層化現象判定処理ＩＩを示すフローチャート、図３（ｂ）は成層化現象判定における鉛蓄電池の残存容量（ＳＯＣ）と端子電圧との関係を示す図である。
【００３２】
図３（ｂ）に示すように、成層化現象が発生すると、残存容量の低下量（ΔＳＯＣ）が所定値以内（ΔＳＯＣ≧９５％）の時の端子電圧の低下量が所定値以上（ΔＶbat≧０．１Ｖ）となる。そこで、本実施形態では、所定時間充放電を繰り返し、満充電の状態で、残存容量の低下量（ΔＳＯＣ）が所定値以内（ΔＳＯＣ≧９５％）の時の端子電圧の低下量が所定値以上（ΔＶbat≧０．１Ｖ）ならば、成層化現象が発生していると判定する。
【００３３】
具体的には、コントローラ５は、図２（ａ）のＳ２１〜Ｓ２３と同様の処理を行った後、図３（ａ）において、残存容量の低下量（ΔＳＯＣ）に対する端子電圧の低下量（ΔＶbat）を検出する（Ｓ３１）。
【００３４】
次に、コントローラ５は、残存容量の低下量（ΔＳＯＣ）が所定値以内（ΔＳＯＣ≧９５％）の時の端子電圧の低下量が所定値以上（ΔＶbat≧０．１Ｖ）であるか判定する（Ｓ３２）。
【００３５】
そして、コントローラ５は、残存容量の低下量（ΔＳＯＣ）が所定値以内（ΔＳＯＣ≧９５％）の時の端子電圧の低下量が所定値以上（ΔＶbat≧０．１Ｖ）ならば、成層化現象が発生していると判定し、成層化現象判定フラグＳ及び成層化判定履歴フラグＱを「１」にセットする（Ｓ，Ｑ←１）（Ｓ２６）。
【００３６】
なお、上記成層化現象判定処理Ｉ，ＩＩは、少なくともいずれかを選択的に実行しても良い。
【００３７】
上記各成層化現象判定処理によれば、回復不能な成層劣化に至る前の成層化現象を精度良く検出することができる。
【００３８】
＜回復制御処理（第１例）＞
図４（ａ）は図１のＳ４における回復制御処理の第１例を示すフローチャート、図４（ｂ）は回復制御処理による経過時間と電解液濃度との関係を示す図である。
【００３９】
図４（ｂ）に示すように、成層化現象が発生した鉛蓄電池１に対して、電気的接続を解除（暗電流無し）した状態で放置すると、電極の上部、中部、下部の各箇所において成層化現象が改善する。
【００４０】
そこで、本実施形態では、成層化現象の発生時に電気的接続を解除（暗電流無し）した状態で放置することにより成層化現象が発生した鉛蓄電池１を回復する処理を実行する。
【００４１】
具体的には、図４（ａ）に示すように、コントローラ５は、成層化現象判定フラグＳが「１」ならば（Ｓ４１）、エンジン始動中か判定する（Ｓ４２）。
【００４２】
次に、コントローラ５は、Ｓ４２でエンジン始動中であると判定されると、消費電力量を検出し（Ｓ４３）、鉛蓄電池１に対する電気的接続を解除（暗電流無し）した状態で所定時間（例えば、１．５Ｈ）放置する。また、別の方法として、エンジン始動中でない時は、暗電流を二次電池８から供給した状態で放置しても良い。
【００４３】
次に、コントローラ５は、鉛蓄電池１の電気的接続を解除したことにより不足する電力を賄うため、発電機４及び／又は二次電池８を制御して電装品に電力を供給する（Ｓ４５，Ｓ４６）。ここでは、Ｓ４３で検出された消費電力量から、予めマップとして記憶された発電機制御量と二次電池制御量を読み出し、各制御量に従って発電機４及び／又は二次電池８を制御して電装品に電力を供給する。
【００４４】
次に、コントローラ５は、端子電圧Ｖbatを検出し、端子電圧Ｖbatが基準電圧（例えば、１２．７６Ｖ）と略同等まで戻ったか判定する（Ｓ４７，Ｓ４８）。
【００４５】
そして、コントローラ５は、Ｓ４８で端子電圧Ｖbatが基準電圧と略同等まで戻ったと判定されたならば、成層化現象が回復したと判定し、成層化現象判定フラグＳを「０」にリセットし（Ｓ４９）、鉛蓄電池１に対する電気的接続を再開し発電機４の制御を元に戻す（Ｓ５０）。
【００４６】
＜回復制御処理（第２例）＞
図５（ａ）は図１のＳ４における回復制御処理の第２例を示すフローチャート、図５（ｂ）は回復制御処理による経過時間と充電電流／電圧との関係を示す図、図５（ｃ）は回復制御処理による経過時間と成層化進行度合との関係を示す図である。
【００４７】
図５（ｂ）及び（ｃ）に示すように、電解液の成層化現象は深放電が行われた際に進行する。そこで、本実施形態では、放電量が規定値を超えた場合には成層化に至る主要因である充電電流量を発電機４で規制して充電する。また、大電流での充電を実施すると、充電の受け入れ性の良い箇所での反応となるため成層化するが、それを規制することで局所的な充電の受け入れが抑制でき、一部分の高濃度化を抑制できる。
【００４８】
具体的には、図５（ａ）に示す回復制御処理の第２例は、図４（ａ）のＳ４４〜Ｓ４６をＳ５４〜Ｓ５６に置換した内容となっており、その他の処理は図４（ａ）と同様である。
【００４９】
即ち、コントローラ５は、Ｓ４２でエンジン始動中であると判定されると、Ｓ５４で充電電流Ｉbatを算出する（Ｉbat＜２Ａ）。
【００５０】
次に、コントローラ５は、電装品６への電力を賄い且つ鉛蓄電池１への充電電流を所定値未満に抑制するため、発電機４及び／又は二次電池８を制御して電装品６に電力を供給し鉛蓄電池１を充電する（Ｓ５５，Ｓ５６）。ここでは、Ｓ４３で検出された消費電力量とＳ５４で算出された充電電流Ｉbatの和になるように、予めマップとして記憶された発電機制御量と二次電池制御量を読み出し、各制御量に従って発電機４及び／又は二次電池８を制御して電装品に電力を供給する。
【００５１】
その後、図４（ａ）と同様に、端子電圧Ｖbatを検出し、端子電圧Ｖbatが基準電圧（例えば、１２．７６Ｖ）と略同等まで戻ったならば、成層化現象が回復したと判定する。
【００５２】
＜回復制御処理（第３例）＞
図６（ａ）は図１のＳ４における回復制御処理の第３例を示すフローチャート、図６（ｂ）は回復制御処理による経過時間と充電量、活性化量との関係を示す図である。
【００５３】
図６（ｂ）に示すように、軽度の充放電を繰り返して満充電へ移行するように充電を実施することで、電極の反応部分の活性化を促し、通電抵抗の少ない電極上部で充電反応が実施される。これにより、電極上部の電解液濃度は向上し電解液の成層化を抑制できる。  具体的には、図６（ａ）に示す回復制御処理の第３例は、図５（ａ）のＳ５６の後にＳ６５を追加した内容となっており、その他の処理は図５（ａ）と同様である。
【００５４】
即ち、コントローラ５は、Ｓ５４で充電電流Ｉbat（＜２Ａ）を算出した後、電装品６への電力を賄うため、発電機４及び／又は二次電池８を制御して電装品６に電力を供給し、且つ鉛蓄電池１への充電電流を所定値未満に抑制しつつ通電（ＯＮ）／非通電（ＯＦＦ）を繰り返すように制御する（Ｓ５５，Ｓ５６，Ｓ６５）。そして、図４（ａ）と同様に、端子電圧Ｖbatを検出し、端子電圧Ｖbatが基準電圧（例えば、１２．７６Ｖ）と略同等まで戻ったならば、成層化現象が回復したと判定する。
【００５５】
なお、上記各回復制御処理において、二次電池８が搭載されていない場合には、発電機４だけで上記電力制御を実施しても良い。
【００５６】
また、上記回復制御処理（第１例〜第３例）は少なくともいずれかを実行すれば充分であるが、端子電圧Ｖbatの復帰状態に応じて第１例〜第３例へと段階的に実施しても良い。
【００５７】
上記各回復制御処理によれば、成層劣化に至る前に成層化から回復させることができる。また、二次電池を用いることで、回復制御処理と消費電力の補償とに係る発電機の負担を軽減することができる。
【００５８】
＜格子腐食判定処理＞
図７（ａ）は図１のＳ５における格子腐食判定処理を示すフローチャート、図７（ｂ）は図１のＳ６における電池交換表示処理を示すフローチャートである。
【００５９】
成層化現象が発生した状態で長期間が経過すると、電解液濃度の高い箇所の電極腐食（主に、活物質の脱落や活物質を担持する格子の腐食）が発生し、鉛蓄電池１を交換する必要がある。このため、本実施形態では、成層化現象の発生履歴がある場合に格子腐食が発生したか判定し、格子腐食が発生したと判定されると、上述した回復制御処理は実施せず、電池交換を促す警告表示を実行する。
【００６０】
具体的には、図７（ａ）に示すように、コントローラ５は、図２（ａ）及び図３（ａ）で一旦成層化現象が発生した判定されて成層化判定履歴フラグＱが「１」にセットされており（Ｓ７１）、鉛蓄電池１が満充電状態（ＳＯＣ≒１００％）であり（Ｓ７２）、端子電圧Ｖbatが１２Ｖ未満（Ｓ７３）と判定されたならば、格子腐食が発生していると判定し、格子腐食判定フラグＲを「１」にセットする（Ｒ←１）（Ｓ７４）。別の判定方法として、一旦、成層化現象が判定され、満充電時の端子電圧＜１２．０Ｖ時に加え、消費電力量＜１００Ｗ時は、格子腐食と判定しても良く、消費電力量の判定を追加することで格子腐食の判定精度が向上する。
【００６１】
次に、図７（ｂ）に示すように、コントローラ５は、格子腐食が発生したと判定されて格子腐食判定フラグＲが「１」にセットされているならば、上述した回復制御処理は実施せず、電池交換を促す警告表示を実行する（Ｓ８１，Ｓ８２）。なお、コントローラ５は、電池交換が検出されると、格子腐食判定フラグＲをリセットする。
【００６２】
ここでの処理によれば、回復不能な成層劣化を検出し、故障前に電池交換が必要なことをユーザに認知させることができる。
【００６３】
［特許請求の範囲の記載と明細書との対応関係］
請求項１における、充放電制御手段はコントローラ５及びスイッチ７による鉛蓄電池１の充放電制御、残存容量検出手段はコントローラ５による鉛蓄電池１の残存容量検出ブロック５Ｃ、消費電力検出手段は電流／電圧検出器２、成層化判定手段はコントローラ５による図２（ａ）の成層化現象判定処理Ｉに対応している。
【００６４】
請求項２における、成層化判定手段はコントローラ５による図３（ａ）の成層化現象判定処理Ｉに対応している。
【００６５】
請求項３における、回復制御手段はコントローラ５による図４（ａ）の回復制御処理（第１例）に対応している。
【００６６】
請求項４における、回復制御手段はコントローラ５による図５（ａ）の回復制御処理（第２例）に対応している。
【００６７】
請求項５における、回復制御手段はコントローラ５による図６（ａ）の回復制御処理（第３例）に対応している。
【００６８】
請求項６における二次電池は二次電池８及びコントローラ５による図４（ａ）〜図６（ａ）の回復制御処理に対応している。
【００６９】
請求項７における、格子腐食判定手段はコントローラ５による図７（ａ）の格子腐食判定処理、表示手段は図７（ｂ）の電池交換表示処理に夫々対応している。
【００７０】
なお、上記各手段は上述した構成に限定されるものではなく、上記した各機能を有するものであれば、どのような構成や形態であってもよい。
【図面の簡単な説明】
【００７１】
【図１】（ａ）は本実施形態の鉛蓄電池制御装置を示すブロック図、（ｂ）は本実施形態による成層化現象に係る処理全体のフローチャートである。
【図２】（ａ）は図１のＳ２における成層化現象判定処理Ｉを示すフローチャート、（ｂ）は成層化現象判定における鉛蓄電池の端子電圧と比重との関係を示す図である。
【図３】（ａ）は図１のＳ３における成層化現象判定処理ＩＩを示すフローチャート、（ｂ）は成層化現象判定における鉛蓄電池の残存容量（ＳＯＣ）と端子電圧との関係を示す図である。
【図４】（ａ）は図１のＳ４における回復制御処理の第１例を示すフローチャート、（ｂ）は回復制御処理による経過時間と電解液濃度との関係を示す図である。
【図５】（ａ）は図１のＳ４における回復制御処理の第２例を示すフローチャート、（ｂ）は回復制御処理による経過時間と充電電流／電圧との関係を示す図、（ｃ）は回復制御処理による経過時間と成層化進行度合との関係を示す図である。
【図６】（ａ）は図１のＳ４における回復制御処理の第３例を示すフローチャート、（ｂ）は回復制御処理による経過時間と充電量、活性化量との関係を示す図である。
【図７】（ａ）は図１のＳ５における格子腐食判定処理を示すフローチャート、（ｂ）は図１のＳ６における電池交換表示処理を示すフローチャートである。
【符号の説明】
【００７２】
１  鉛蓄電池（バッテリ）
２  電流／電圧検出器
４  発電機（オルタネータ）
５  コントローラ
６  電装品
７  スイッチ
８  二次電池
【図１】
2008226790.tif 000003
【図２】
2008226790.tif 000004
【図３】
2008226790.tif 000005
【図４】
2008226790.tif 000006
【図５】
2008226790.tif 000007
【図６】
2008226790.tif 000008
【図７】
2008226790.tif 000009